(57)【要約】【課題】後側駆動歯車の上下側を移動するフィードチェンの間にロック機構を設けているため、設置スペースの制約により、ロック機構の係合フックおよびオープンレバーは縦軸回動させる構成となり、操作性に課題がある。【解決手段】機体前方の刈取装置４で刈り取った穀稈を脱穀装置３の扱室に供給するフィードチェン１３を設け、該フィードチェン１３は、案内レール１６に設けた前側ローラ１７と後側駆動歯車１８に掛け回し、前記案内レール１６の前部に備えた上下方向の前側支持部材２０を支点として外側へ回動自在に構成し、前記案内レール１６の後部の所定位置に設けた支持部材２４の前記後側駆動歯車１８よりも下方の部位には前記前側支持部材２０を支点としたフィードチェン１３の回動をロックするロック機構２５を設け、該ロック機構２５に備えた係合フック２７の係合を解除するオープンレバー３０を機体側面視において縦長に形成したコンバイン【選択図】図４
2017131137.tif 000002
【特許請求の範囲】
【請求項１】
機体前方の刈取装置（４）で刈り取った穀稈を脱穀装置（３）の扱室に供給するフィードチェン（１３）を設け、該フィードチェン（１３）は、案内レール（１６）に設けた前側ローラ（１７）と後側駆動歯車（１８）に掛け回し、前記案内レール（１６）の前部に備えた上下方向の前側支持部材（２０）を支点として外側へ回動自在に構成し、前記案内レール（１６）の後部の所定位置に設けた支持部材（２４）の前記後側駆動歯車（１８）よりも下方の部位には前記前側支持部材（２０）を支点としたフィードチェン（１３）の回動をロックするロック機構（２５）を設け、該ロック機構（２５）に備えた係合フック（２７）の係合を解除するオープンレバー（３０）を機体側面視において縦長に形成したコンバイン。
【請求項２】
前記フィードチェン（１３）の外側方に設けたカバー（４０）には前記オープンレバー（３０）の左右幅より広く開口する開口部（４３）を形成し、該開口部（４３）にオープンレバー（３０）を臨ませて配置した請求項１記載のコンバイン。
【請求項３】
前記カバー（４０）は、機体前後方向視においてその上部に略垂直の縦板部（４１）を有すると共に該縦板部（４１）の下部には下方に至るに従い機体内側に位置するように傾斜した傾斜面部（４２）を有し、該傾斜面部（４２）に前記開口部（４３）を設けた請求項２記載のコンバイン。
【請求項４】
前記オープンレバー（３０）は、ロック状態において、機体前後方向視で前記傾斜面部（４２）よりも機体内側に位置する構成とした請求項３記載のコンバイン。
【請求項５】
前記ロック機構（２５）およびオープンレバー（３０）は、フィードチェン（１３）および前記案内レール（１６）を有するフィードチェンアッシー（４５）の上下方向での中間位置に設けた請求項１から請求項４のいずれか１項に記載のコンバイン。
【請求項６】
前記オープンレバー（３０）は丸棒部材により逆「コ」の字形状に形成した請求項１から請求項５のいずれか１項に記載のコンバイン。
【発明の詳細な説明】
【技術分野】
【０００１】
本発明は、コンバインに係るものである。
【背景技術】
【０００２】
従来、脱穀装置の扱室一側の扱ぎ口に沿って穀稈を供給搬送するフィードチェンを、案内レールの前側ローラと後側駆動歯車に掛け回し、後側駆動歯車の上側を移動する上側チェンと後側駆動歯車１８の下側を移動する下側チェンとの間に、フィードチェンの案内レールの後部の外側オープンをロックするロック機構を設けた構成は、公知である（特許文献１）
【先行技術文献】
【特許文献】
【０００３】
【特許文献１】特許２９３００６３号公報
【発明の概要】
【発明が解決しようとする課題】
【０００４】
前記公知例は、後側駆動歯車の上下側を移動するフィードチェンの間にロック機構を設けているため、設置スペースの制約により、ロック機構の係合フックおよびオープンレバーは縦軸回動させる構成となり、操作性に課題がある。
本願は、ロック機構およびオープンレバーの配置を工夫し、フィードチェンの外側へのオープン操作を容易にしたものである。
【課題を解決するための手段】
【０００５】
請求項１記載の発明は、機体前方の刈取装置４で刈り取った穀稈を脱穀装置３の扱室に供給するフィードチェン１３を設け、該フィードチェン１３は、案内レール１６に設けた前側ローラ１７と後側駆動歯車１８に掛け回し、前記案内レール１６の前部に備えた上下方向の前側支持部材２０を支点として外側へ回動自在に構成し、前記案内レール１６の後部の所定位置に設けた支持部材２４の前記後側駆動歯車１８よりも下方の部位には前記前側支持部材２０を支点としたフィードチェン１３の回動をロックするロック機構２５を設け、該ロック機構２５に備えた係合フック２７の係合を解除するオープンレバー３０を機体側面視において縦長に形成したコンバインとしたものである。
請求項２記載の発明は、前記フィードチェン１３の外側方に設けたカバー４０には前記オープンレバー３０の左右幅より広く開口する開口部４３を形成し、該開口部４３にオープンレバー３０を臨ませて配置した請求項１記載のコンバインとしたものである。
請求項３記載の発明は、前記カバー４０は、機体前後方向視においてその上部に略垂直の縦板部４１を有すると共に該縦板部４１の下部には下方に至るに従い機体内側に位置するように傾斜した傾斜面部４２を有し、該傾斜面部４２に前記開口部４３を設けた請求項２記載のコンバインとしたものである。
請求項４記載の発明は、前記オープンレバー３０は、ロック状態において、機体前後方向視で前記傾斜面部４２よりも機体内側に位置する構成とした請求項３記載のコンバインとしたものである。
請求項５記載の発明は、前記ロック機構２５およびオープンレバー３０は、フィードチェン１３および前記案内レール１６を有するフィードチェンアッシー４５の上下方向での中間位置に設けた請求項１から請求項４のいずれか１項に記載のコンバインとしたものである。
請求項６記載の発明は、前記オープンレバー３０は丸棒部材により逆「コ」の字形状に形成した請求項１から請求項５のいずれか１項に記載のコンバインとしたものである。
【発明の効果】
【０００６】
請求項１記載の発明では、フィードチェン１３の回動をロックするロック機構２５は、後側駆動歯車１８よりも下方の部位に設けているので、ロック機構２５の係合フック２７の作動スペースおよび係合フック２７の係合を解除するオープンレバー３０の操作スペースを縦方向に大きく取ることができ、操作性を向上させることができる。
請求項２記載の発明では、上記請求項１記載の発明の効果に加え、フィードチェン１３の外側方のカバー４０にオープンレバー３０の左右幅より広く開口させた開口部４３を形成し、この開口部４３にオープンレバー３０を臨ませているので、このオープンレバー３０を操作する際に、開口部４３の内縁に指が挟まるのを防止でき、操作性を向上させることができる。
請求項３記載の発明では、上記請求項２記載の発明の効果に加え、オープンレバー３０を配置する開口部４３をカバー４０の傾斜面部４２に設けているので、オープンレバー３０と圃場の未刈り穀稈との干渉を防止することができる。
請求項４記載の発明では、上記請求項３記載の発明の効果に加え、オープンレバー３０は、ロック状態において、傾斜面部４２よりも機体内側に位置するので、一層、オープンレバー３０と圃場の未刈り穀稈との接触を防止することができる。
請求項５記載の発明では、請求項１から請求項４のいずれか１項に記載の発明の効果に加え、ロック機構２５およびオープンレバー３０は、フィードチェンアッシー４５の上下方向での中間位置に設けているので、操作性を向上させることができる。
請求項６記載の発明では、請求項１から請求項５のいずれか１項に記載の発明の効果に加え、オープンレバー３０を丸棒部材により形成しているので、オープンレバー３０を操作する際の、開口部４３の内縁への指の挟まりを防止できると共に、操作性を向上させることができる。
【図面の簡単な説明】
【０００７】
【図１】コンバインの側面図。
【図２】同平面図。
【図３】同背面図。
【図４】フィードチェンの側面図。
【図５】ロック機構の側面図。
【図６】同背面図。
【発明を実施するための形態】
【０００８】
本発明の一実施形態をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である。
前記刈取装置４は、最先端位置に立毛する穀稈を左右に分草する分草装置８を左右に複数並設し、各分草装置８の後側に分草装置８が分草した穀稈を引起す引起装置９を設け、引起装置９の後側には刈刃１０を設け（図１）、刈刃１０の上方の後側には刈刃１０によって刈り取った刈取後の穀稈を後方の脱穀装置３のフィードチェン１３へ向けて搬送する刈取穀稈搬送装置１４を設ける。
刈取装置４は、基部を機体側に横軸上下回動自在に取付けた縦支持フレーム１５の先端に設ける。
【０００９】
フィードチェン１３は、扱胴（図示省略）を内装軸架せる扱室一側の扱ぎ口に沿って張設されている（図１）。脱穀処理後の排藁は排藁チェン（図示省略）によって搬出処理されるようになっている。
フィードチェン１３は案内レール１６の前側ローラ１７と後側駆動歯車１８に掛け回し、フィードチェン１３の上方に設けた挾扼杆１９とにより穀稈を挾持搬送する。案内レール１６の前側には略垂直の軸形状で上下一対の前側支持部材２０を設け、各前側支持部材２０は機体側に設けた機体側支持部材２１に回動自在に夫々取付ける。
したがって、フィードチェン１３は、案内レール１６を前側支持部材２０を支点に後部を外側オープン自在に構成する。
【００１０】
案内レール１６の後部所定位置には、下方に突出する縦状（上下方向）の支持部材２４を設け、支持部材２４の前記後側駆動歯車１８より下方の部位にはフィードチェン１３の回動をロックするロック機構２５を設ける。ロック機構２５は支持部材２４に設けた横取付軸２６に係合フック２７を回動自在に取付け、この係合フック２７が係合する係合体２８を脱穀装置３側に設けた取付部材２９に取付けて構成する。
前記係合フック２７には、この係合フック２７を回動させて係合体２８との係合を解除するオープンレバー３０を設ける。オープンレバー３０は機体側面視において縦長形状に形成し、オープンレバー３０の上部を係合フック２７に固定する。
【００１１】
前記係合フック２７には、係合体２８に係合する係合溝３１を、上部を開放した「Ｕ」字形状に形成して設ける。係合フック２７は係合体２８に下側から係合する構成とし、オープンレバー３０を手前に引くと係合フック２７と係合体２８との係合解除される構成とする。
即ち、オープンレバー３０を横取付軸２６を支点として上下方向に回動させて係合フック２７を係合体２８に係脱させる構成であり、オープンレバー３０を上方向に引くように操作すると、ロック機構２５によるロックを解除でき、フィードチェン１３のオープン操作（機体外側方への回動操作）が可能となる。
【００１２】
案内レール１６の後部に前記支持部材２４の上部を固定し、支持部材２４に設けた取付部材３５に後側駆動歯車１８を軸装し、後側駆動歯車１８の部位から搬送方向始端側に戻る下側チェン１３Ｂよりも下方の支持部材２４の部位に、前記ロック機構２５およびオープンレバー３０を設ける。
これにより、オープンレバー３０は、横取付軸２６を支点として上下方向に回動して係合フック２７を係合体２８に継脱する構成となり、オープンレバー３０の操作方向をフィードチェン１３のオープン操作方向に一致させることができ、操作を容易にすることができる。
【００１３】
即ち、オープンレバー３０の操作方向を後ろ向きの縦軸回動にすると、前方向に移動する案内レール１６に対してオープンレバー３０の操作方向が後ろ向きとなるため操作性が悪くなるが、本願では、後側駆動歯車１８より低い位置にロック機構２５およびオープンレバー３０を設けおり、オープンレバー３０の操作方向を上下方向としてフィードチェン１３のオープン操作方向に一致させられる。
また、後側駆動歯車１８を基準にロック機構２５およびオープンレバー３０は後側駆動歯車１８の下方に位置するので、オープンレバー３０の高さ位置が低くなり、オープンレバー３０の操作を容易にできる。
３６は係合フック２７を係合体２８に係合するように付勢するバネ、３７はストッパ、３８は係合フック２７を係合体２８に係合するように案内するガイドである。
【００１４】
しかして、フィードチェン１３の外側方に設けたカバー４０は、機体前後方向視において、その上部に略垂直の縦板部４１を有し、縦板部４１の下部に下方に至るに従い機体内側に位置するように傾斜する傾斜面部４２を有し、前記オープンレバー３０はカバー４０の傾斜面部４２に設けた開口部４３に臨ませて配置する。
即ち、オープンレバー３０は内側に傾斜する傾斜面部４２に設けた開口部４３に臨ませているので、圃場の未刈り穀稈との干渉を防止することができる。
前記傾斜面部４２はカバー４０のフィードチェン１３の後部下方の一部に設け、この傾斜面部４２に開口部４３を設ける。
そのため、オープンレバー３０およびロック機構２５はフィードチェン１３の後部下方に位置させるので、フィードチェン１３のオープン操作を容易にすると共に、傾斜面部４２が圃場の未刈り穀稈に対する退避面と作用してオープンレバー３０（開口部４３）との干渉を防止する。
【００１５】
また、オープンレバー３０は、ロック状態では、機体前後方向視において、傾斜面部４２より内側に位置する構成とする。
これにより、オープンレバー３０はフィードチェン１３のオープン操作を容易にすると共に、オープンレバー３０と圃場の未刈り穀稈との接触を防止することができる。
また、オープンレバー３０を手前に引いてロック機構２５をロック解除操作した状態であっても、カバー４０の縦板部４１の外面より外側にはみ出さない構成とする。
これにより、オープンレバー３０と圃場の未刈り穀稈との接触を、一層、防止することができる。
また、ロック機構２５およびオープンレバー３０は、フィードチェン１３および前記案内レール１６を有したフィードチェンアッシー４５の上下中間位置に設ける。
また、オープンレバー３０は、フィードチェンアッシー４５よりも下方に配置してもよい。
【００１６】
オープンレバー３０は、プレート形状に形成すると共に、傾斜面部４２の左右幅より小さい幅に形成する。
これにより、オープンレバー３０と穀稈との引っ掛かりを抑制すると共に、傾斜面部４２に指を挿入してオープンレバー３０を引くロック解除操作が容易となる。
また、オープンレバー３０は丸棒部材により逆「コ」の字形状に形成することで、一層、傾斜面部４２を小さく形成しても、ロック解除操作が容易となる。
傾斜面部４２は縦方向に長く形成する。
以上の構成において、オープンレバー３０を縦軸回動とし、傾斜面部４２を横向き開口形状にしてもよい。
【００１７】
（実施形態の作用）
機体を走行させ、刈取装置４により圃場の穀稈を刈り取り、刈り取った穀稈は刈取穀稈搬送装置１４により後方へ搬送し、フィードチェン１３へ引き継がれる。
フィードチェン１３は、扱胴を軸装した扱室の一側の扱ぎ口に沿って設けられ、フィードチェン１３の上方に弾力的に上下する挾扼杆１９とにより穀稈を挾持搬送し、搬送中に扱室にて脱穀される。
フィードチェン１３は案内レール１６の前側ローラ１７と後側駆動歯車１８に掛け回されているので、後側駆動歯車１８の駆動回転により案内レール１６上をフィードチェン１３が移動して穀稈を搬送する。
【００１８】
案内レール１６の前側には略垂直の軸形状で上下一対の前側支持部材２０を設け、各前側支持部材２０は機体側に設けた機体側支持部材２１に回動自在に夫々取付け、脱穀作業中は扱室の側方に平行状に位置するが、作業終了後等に適宜前側支持部材２０を支点にフィードチェン１３（案内レール１６）の後部を外側へオープンさせることができ、メンテナンス等を行う。
一方、案内レール１６の後部所定位置には縦状の支持部材２４を設け、支持部材２４にはフィードチェン１３の回動をロックするロック機構２５を設け、ロック機構２５は支持部材２４に設けた横取付軸２６に取付けた係合フック２７と、係合フック２７が係合する係合体２８とにより構成しているので、ロック機構２５は係合体２８に係合フック２７が係合すると、ロック状態となり、係合体２８から係合フック２７が離脱するとロック解除状態となる。
【００１９】
フィードチェン１３は、案内レール１６の後部所定位置に設けた下方に突出する縦状の支持部材２４の後側駆動歯車１８より下方位置の部位に、フィードチェン１３の回動をロックするロック機構２５を設けているので、ロック機構２５の係合フック２７の作動スペースおよび係合フック２７の係合を解除するオープンレバー３０の操作スペースを縦方向に大きく取ることができ、操作性を向上させることができる。
係合フック２７は、係合体２８に係合する係合溝３１を、上部を開放した「Ｕ」字形状に形成し、係合フック２７は係合体２８に下側から係合する構成とし、オープンレバー３０は手前に引くと係合フック２７と係合体２８との係合が解除される構成としているので、オープンレバー３０は横取付軸２６を支点として上下方向に回動して係合フック２７を係合体２８に係脱させ、オープンレバー３０を上方向に引くように操作すると、ロック機構２５のロックが解除される。
【００２０】
即ち、案内レール１６の後部に支持部材２４の上部を固定し、支持部材２４に設けた取付部材３５に後側駆動歯車１８を軸装し、後側駆動歯車１８の部位から搬送方向始端側に戻る下側チェン１３Ｂよりも下方の支持部材２４にロック機構２５およびオープンレバー３０を設けているので、ロック機構２５のオープンレバー３０は、横取付軸２６を支点として上下方向に回動して係合フック２７を係合体２８に継脱する構成とすることができ、オープンレバー３０の操作方向をフィードチェン１３のオープン操作方向に一致させることができ、操作を容易にすることができる。
即ち、オープンレバー３０の操作方向を後ろ向きの縦軸回動にすると、前方向に移動する案内レール１６に対してオープンレバー３０の操作方向が後ろ向きでは操作性が悪くなるが、本願では、後側駆動歯車１８より低い位置にロック機構２５およびオープンレバー３０を設けているので、オープンレバー３０の操作方向を上下方向としてフィードチェン１３のオープン操作方向に一致させられる。
【００２１】
また、後側駆動歯車１８を基準にロック機構２５およびオープンレバー３０は後側駆動歯車１８の下方に位置するので、オープンレバー３０の高さ位置が低くなり、オープンレバー３０の操作を容易にできる。
しかして、フィードチェン１３の一部の外側方にはカバー４０を設け、カバー４０にはオープンレバー３０の左右幅より広く開口させた開口部４３を形成し、該開口部４３にオープンレバー３０を臨ませて配置しているので、オープンレバー３０を操作する際に、開口部４３の内縁に指が挟まるのを防止でき、操作性を向上させられる。
また、カバー４０は機体前後方向視においてその上部を略垂直の縦板部４１に形成し、縦板部４１の下部に下方に至るに従い内側に位置するように傾斜した傾斜面部４２を形成し、傾斜面部４２に開口部４３を設けているので、オープンレバー３０は内側に傾斜する傾斜面部４２に配置され、圃場の未刈り穀稈との干渉を防止することができる。
【００２２】
傾斜面部４２はカバー４０のフィードチェン１３の後部下方の一部に設け、この傾斜面部４２に開口部４３を設けおり、オープンレバー３０およびロック機構２５はフィードチェン１３の後部下方に位置させるので、フィードチェン１３のオープン操作を容易にすると共に、傾斜面部４２が圃場の未刈り穀稈に対する接触防止面として作用しオープンレバー３０（開口部４３）との干渉を防止することができる。
また、オープンレバー３０は、ロック状態では、機体前後方向視において、傾斜面部４２より内側に位置する構成としているので、オープンレバー３０はフィードチェン１３のオープン操作を容易にすると共に、オープンレバー３０と圃場の未刈り穀稈との接触を防止することができる。
また、オープンレバー３０を手前に引いてロック機構２５をロック解除操作した状態であっても、カバー４０の縦板部４１の外面より外側にはみ出さない構成としているので、オープンレバー３０と圃場の未刈り穀稈との接触を、一層、防止することができる。
【符号の説明】
【００２３】
１…機体フレーム、２…走行装置、３…脱穀装置、４…刈取装置、５…グレンタンク、６…操縦部、８…分草装置、９…引起装置、１０…刈刃、１３…フィードチェン、１４…刈取穀稈搬送装置、１５…縦支持フレーム、１６…案内レール、１７…前側ローラ、１８…後側駆動歯車、１９…挾扼杆、２０…前側支持部材、２１…機体側支持部材、２４…支持部材、２５…ロック機構、２６…横取付軸、２７…係合フック、２８…係合体、３０…オープンレバー、３１…係合溝、３５…取付部材、４０…カバー、４１…縦板部、４２…傾斜面部、４３…開口部、４５…フィードチェンアッシー。
【図１】
2017131137.tif 000003
【図２】
2017131137.tif 000004
【図３】
2017131137.tif 000005
【図４】
2017131137.tif 000006
【図５】
2017131137.tif 000007
【図６】
2017131137.tif 000008